(57)【要約】【課題】多種の医療用装置を複合的に組み合わせて使用する場合に従来に比べ有利な効果を得ることができるようにする。【解決手段】医療用情報を記録する画像記録装置５であって、少なくとも設定情報、状態情報、検査画像情報、及び患者情報の中の何れか１つ又は複数の情報を提供する複数の装置である、電子内視鏡装置１，超音波内視鏡装置２，電子内視鏡装置用光源装置３，及び外部装置４との間で情報の送受を行う通信手段９を有し、その通信手段９により得られた検査画像情報及び患者情報に加えて、設定情報と状態情報のうちの少なくとも何れか１つの情報或いは該情報が加工された情報を、ネットワークを介してサーバー装置７等に送信する。【選択図】図１
2004344390.tif 000002
【特許請求の範囲】
【請求項１】
医療用情報を記録する画像記録装置であって、
少なくとも設定情報、状態情報、検査画像情報、及び患者情報の中の何れか１つ又は複数の情報を提供する複数の装置との間で情報の送受を行う通信手段を有し、
前記通信手段により得られた前記検査画像情報及び前記患者情報に加えて、前記設定情報と前記状態情報のうちの少なくとも何れか１つの情報或いは該情報が加工された情報をネットワークを介して送信する、
ことを特徴とする画像記録装置。
【発明の詳細な説明】
【０００１】
【発明の属する技術分野】
本発明は、医療用画像等の医療用情報を記録する画像記録装置に関する。
【０００２】
【従来の技術】
従来、病院等の医療機関では、各種の医療用装置が用いられて、検査、診断、治療が行われている。これらの医療用装置においては、その各々が、当該医療用装置から提供される情報を取得し情報の加工や表示等を行うことのできる、当該医療用装置専用の周辺装置（例えば画像記録装置等）と接続され、システムとして使用されている。尚、周辺装置は医療用装置の一つでもある。
【０００３】
図１４は、そのような医療用装置とその周辺装置の一例を示した図である。
同図において、電子内視鏡装置１，超音波内視鏡装置２，電子内視鏡装置用光源装置３は、医療用装置の一例である。また、画像記録装置１ａ，表示装置１ｂは、電子内視鏡装置１に専用の周辺装置の一例であり、画像記録装置２ａ，表示装置２ｂは、超音波内視鏡装置２に専用の周辺装置の一例であり、電子内視鏡装置用光源装置情報取得用装置３ａ，表示装置３ｂは、電子内視鏡装置用光源装置３に専用の周辺装置の一例である。
【０００４】
電子内視鏡装置１、画像記録装置１ａ、及び表示装置１ｂは、電子内視鏡装置１に係るシステムとして使用され、本システム独自の仕様により構成されている。本システムでは、電子内視鏡装置１により提供される、検査画像（検査によって得られた画像である検査画像情報），患者に固有の患者情報，装置１の設定情報，装置１の状態情報等が画像記録装置１ａにより取得され、それらの情報が必要に応じて表示装置１ｂに表示されるようになっている。これにより、例えば装置１の検査画像や患者情報の閲覧、設定の把握、状態監視等ができるようになっている。
【０００５】
また、超音波内視鏡装置２、画像記録装置２ａ、及び表示装置２ｂは、超音波内視鏡装置２に係るシステムとして使用され、本システム独自の仕様により構成されている。本システムでは、超音波内視鏡装置２により提供される、検査画像，患者情報，装置２の設定情報，装置２の状態情報等が画像記録装置２ａにより取得され、それらの情報が必要に応じて表示装置２ｂに表示されるようになっている。これにより、例えば装置２の検査画像や患者情報の閲覧、設定の把握、状態監視等ができるようになっている。
【０００６】
尚、これらのシステムのように、内視鏡装置により撮影された内視鏡画像を取得し表示するシステムは、例えば特許文献１等に記載されている。
また、電子内視鏡装置用光源装置３、電子内視鏡装置用光源装置情報取得用装置３ａ、及び表示装置３ｂは、電子内視鏡装置用光源装置３に係るシステムとして使用され、本システム独自の仕様により構成されている。本システムでは、電子内視鏡装置用光源装置３により提供される光源情報等が電子内視鏡装置用光源装置情報取得用装置３ａにより取得され、それらの情報が必要に応じて表示装置３ｂに表示されるようになっている。
【０００７】
このように、従来においては、医療用装置毎にシステムが独立に存在し、各システムは独自の仕様に基づいて構成され、また各システムでは独自の仕様に基づいて情報（データ）の送受が行われていた。
【０００８】
【特許文献１】
特開平７−１４１４９８号公報
【０００９】
【発明が解決しようとする課題】
ところで、このような医療用装置を多種用いて複合的に組み合わせて使用する場合を考慮すると、前述のように、各システムでは独自の仕様に基づいて情報の送受が行われているために、使用する医療用装置毎に対応する周辺装置が必要となり、全体としてのシステムの構成が大きくなってしまうという問題があった。また、各々の医療用装置から提供される情報が、対応する各々の周辺装置に取得，表示されるようになるため、各医療用装置から提供される情報を入手するためには、周辺装置の設置場所まで行く必要があり、設置台数が多くなると、情報を把握しずらく、また各周辺装置毎の情報管理になっているため、管理が複雑な上、同時に使用した装置の相互の関係も把握できないという問題もあった。
【００１０】
本発明は、上記実情に鑑み、多種の医療用装置を複合的に組み合わせて使用する場合に従来に比べ有利な効果を得ることができる画像記録装置を提供することを目的とする。
【００１１】
【課題を解決するための手段】
本発明の態様は、医療用情報を記録する画像記録装置であって、少なくとも設定情報、状態情報、検査画像情報、及び患者情報の中の何れか１つ又は複数の情報を提供する複数の装置との間で情報の送受を行う通信手段を有し、前記通信手段により得られた前記検査画像情報及び前記患者情報に加えて、前記設定情報と前記状態情報のうちの少なくとも何れか１つの情報或いは該情報が加工された情報をネットワークを介して送信する、画像記録装置である。
【００１２】
上記の構成によれば、複数の装置（例えば電子内視鏡装置や超音波内視鏡装置等）から提供される情報を１つの画像記録装置を用いて取得することができるので、装置毎に対応する専用の装置を設ける必要がなくなり、全体としてのシステムを省コスト化及び省スペース化に有利なシステムにすることができる。また、多種の装置から提供される情報を１つの画像記録装置により一括して取り扱うことができるので情報の管理が容易になる。
【００１３】
【発明の実施の形態】
以下、本発明の実施の形態を図面を参照しながら説明する。
＜第１の実施の形態＞
まず、本発明の第１の実施の形態について説明する。
【００１４】
図１は、本実施形態に係る画像記録装置を含むシステムの一例を示した図である。
同図に示したように、電子内視鏡装置１，その装置１に光源を供給する電子内視鏡装置用光源装置３，超音波内視鏡装置２，及び外部装置４は、何れも画像記録装置５に接続されている。尚、装置１乃至３は、図１４に示したものと同じであり、その装置１乃至３及び装置４の各々は、独自の仕様に基づいて情報（データ）の送受を行うものである。また、外部装置４は、例えば患者が持つＩＤカードのデータを読み取る磁気カードリーダであったり、電子内視鏡装置１や超音波内視鏡装置２以外の検査装置等を同時に使用する装置を表しており、特に機器を限定するものではない。
【００１５】
画像記録装置５は、このような独自の仕様に基づいて情報の送受を行う装置１乃至４の各々との間であっても情報の送受を行うことができる通信手段９を有しており、これらの装置１乃至４から提供される情報を一括或いは個別に取得し、その情報の記録や加工等を行う。具体的には、画像記録装置５は、電子内視鏡装置１から提供される検査画像，患者情報，その装置１の設定情報，及びその装置１の状態情報や、超音波内視鏡装置２から提供される検査画像，患者情報，その装置２の設定情報，及びその装置２の状態情報や、電子内視鏡装置用光源装置３から提供される光源情報や、外部装置４から提供される所定の情報等を、一括或いは個別に取得し、その取得した情報の記録や加工等を行う。また、画像記録装置５は、不図示の入力部を介して行われた、こられの装置１乃至４の何れかの装置に対する設定変更指示等に応じて、対応する装置１乃至４の何れかの装置に設定変更指示情報を送信し、対応する装置１乃至４の何れかの装置の設定を変更する。
【００１６】
また、画像記録装置５は、表示装置６にも接続されており、取得した情報或いはそれを加工した情報等を表示する。
一方で、画像記録装置５は、ネットワークを介してサーバー装置７や外部端末装置８等と接続されており、そのサーバー装置７に、取得した情報或いはそれを加工した情報等を送信する。これにより、サーバー装置７には、画像記録装置５が取得した情報等が記憶され、その取得した情報の一括管理が可能になる。また、外部端末装置８は、必要に応じて、サーバー装置７に記憶された情報を読み出しディスプレイ（不図示）に表示する。これにより、外部端末装置８を介して、画像記録装置５が取得した情報等の閲覧が可能になる。
【００１７】
以上、本実施形態によれば、各々独自の仕様に基づいて情報の送受を行う多種の装置から提供される情報を１つの画像記録装置により取得することができるので、装置毎に対応する専用の装置を設ける必要がなくなり、全体としてのシステムを、省コスト化及び省スペース化に有利なシステムにすることができる。
【００１８】
また、多種の装置から提供される情報を１つの画像記録装置により一括して取り扱うことができるので、情報の管理や各装置の相互関係の把握が容易になる。また、多種の装置の設定を１つの画像記録装置により行うことができるので、装置の管理が容易になり、システム全体としての環境設定が容易になる。
【００１９】
尚、本実施形態に係る画像記録装置５において、取得する情報を出力する装置の組み合わせは、装置１乃至４の４種類の４つの装置に限定されるものではなく、その他の組み合わせの種類及び数の装置が接続されるように構成することも可能である。
【００２０】
また、本実施形態に係る画像記録装置５において、接続される装置との情報の送受を無線により行うことも可能である。
＜第２の実施の形態＞
次に、本発明の第２の実施の形態について説明する。
【００２１】
前述の図１４を用いて説明したように、従来においては、各システムは独自の仕様に基づいて構成されていたために、各システムに係る画像記録装置（例えば図１４の画像記録装置１ａ等）では、取得された画像情報が独自の画像記録フォーマットにより記録されていた。従って、記録された画像情報を再生する装置についても、その画像記録フォーマットに対応する専用の装置が必要となり、同一システムを有する施設でしか画像情報を閲覧できない等といった問題があった。
【００２２】
図２（ａ）  は、従来の画像記録装置を含むシステムの一例を示した図である。
同図（ａ）  の例では、画像記録装置（ここでは図１４の１ａとする）は、独自の画像記録フォーマットに対応した専用のネットワークシステム１ｃに接続され、そのネットワークシステム１ｃには、その画像記録フォーマットに対応した専用の画像再生装置１ｄが接続されている。このようなシステムにおいて、画像記録装置１ａによって独自の画像記録フォーマットにより記録された画像情報は、専用のネットワークシステム１ｃに含まれるサーバー装置（不図示）に記憶され、必要に応じて読み出されて、専用の画像再生装置１ｄにより再生されていた。
【００２３】
一方で、一般的な画像記録フォーマットである、ＪＰＥＧ（  Ｊｏｉｎｔ  Ｐｈｏｔｏｇｒａｐｈ  Ｅｘｐｅｒｔ  Ｇｒｏｕｐ  ）フォーマットに対応するシステムも多数存在し、ＪＰＥＧフォーマットの画像情報を再生する機能を備えた装置も多数存在している。また、広く一般に使用されているＷｉｎｄｏｗｓ（登録商標）等のＯＳ（  Ｏｐｅｒａｔｉｎｇ  Ｓｙｓｔｅｍ  ）を備えたパーソナルコンピュータ等も、このＪＰＥＧフォーマットに対応しているものが多い。
【００２４】
そこで、本実施形態に係る画像記録装置では、設定に応じて、取得した画像情報（例えば検査画像情報）を、独自の画像記録フォーマット、ＪＰＥＧフォーマット、又は両方の画像記録フォーマットによって記録することができるようにした。
【００２５】
図２（ｂ）  は、本実施形態に係る画像記録装置を含むシステムの一例を示した図である。
同図（ｂ）  において、画像記録装置５ａは、独自の画像記録フォーマットに対応した専用のネットワークシステム１ｃ、及びＪＰＥＧフォーマットに対応したネットワークシステム１１に接続されている。また、ネットワークシステム１ｃには、独自の画像記録フォーマットに対応した専用の画像再生装置１ｄが接続され、ネットワークシステム１１には、ＪＰＥＧフォーマットに対応した画像再生機能を有する汎用的な端末装置（例えば、Ｗｉｎｄｏｗｓ（登録商標）  ＯＳを備えたパーソナルコンピュータ等）１２が接続されている。
【００２６】
画像記録装置５ａは、画像記録フォーマットの選択設定に応じて、取得した画像情報を、独自の画像記録フォーマットにより記録する、又はＪＰＥＧフォーマットにより記録する、又はその両方の画像記録フォーマットにより記録するようになっている。その他の画像記録装置５ａの構成については、第１の実施の形態に係る画像記録装置５と同じである。
【００２７】
このような構成のシステムにおいて、独自の画像記録フォーマットに対応した専用の画像再生装置１ｄを用いて、画像記録装置５ａにより取得された画像情報の閲覧が行われる場合には、画像記録装置５ａに対し、取得した画像情報を独自の画像記録フォーマットにより記録する設定（又は取得した画像情報を両方の画像記録フォーマットにより記録する設定）がなされる。これにより、画像記録装置５ａにより画像情報が取得されると、その画像情報が独自の画像記録フォーマットにより記録される。そして、そのように記録された画像情報が、独自の画像記録フォーマットに対応した専用のネットワークシステム１ｃに含まれるサーバー装置（不図示）に送信、記憶され、それが必要に応じて読み出され、画像再生装置１ｄに表示される。
【００２８】
また、ＪＰＥＧフォーマットに対応した汎用の端末装置１２を用いて、画像記録装置５ａにより取得された画像情報の閲覧が行われる場合には、画像記録装置５ａに対し、取得した画像情報をＪＰＥＧフォーマットにより記録する設定（又は取得した画像情報を両方の画像記録フォーマットにより記録する設定）がなされる。これにより、画像記録装置５ａにより画像情報が取得されると、その画像情報がＪＰＥＧフォーマットにより記録される。そして、そのように記録された画像情報が、ＪＰＥＧフォーマットに対応したネットワークシステム１１に含まれるサーバー装置（不図示）に送信、記憶され、それが必要に応じて読み出され、端末装置１２に表示される。
【００２９】
尚、取得した画像情報を両方の画像記録フォーマットにより記録する設定がなされた場合に画像記録装置５ａにより画像情報が取得されると、その画像情報が、独自の画像記録フォーマットとＪＰＥＧフォーマットのそれぞれにより記録され、独自の画像記録フォーマットにより記録された画像情報は、独自の画像記録フォーマットに対応した専用のネットワークシステム１ｃに含まれるサーバー装置に送信、記憶され、ＪＰＥＧフォーマットにより記録された画像情報は、ＪＰＥＧフォーマットに対応したネットワークシステム１１に含まれるサーバー装置に送信、記憶される。
【００３０】
以上、本実施形態によれば、１つの画像記録装置を用いて、取得した画像情報を異なる２種類の画像記録フォーマットにより記録することができるので、従来のように、対応する画像記録フォーマット毎に画像記録装置を設ける必要はなく、全体としてのシステムを、省コスト化及び省スペース化に有利なシステムにすることができる。
【００３１】
また、ＪＰＥＧフォーマットに対応した再生機能を有する汎用的な端末装置が存在していれば、独自の画像記録フォーマットに対応した専用の画像再生装置を必要とせず、画像情報の配布や画像情報の二次利用が容易になる。
また、一般的な画像記録フォーマットであるＪＰＥＧフォーマットにより記録することができるので、再生用端末装置の入手が容易になる。
【００３２】
また、秘匿性の高い画像情報については独自の画像記録フォーマットにより記録し、秘匿性の低い（秘匿する必要の無い）画像情報についてはＪＰＥＧフォーマットにより記録する、等といった具合に画像情報の使い分けを行う場合にも有効である。
【００３３】
尚、本実施形態に係る画像記録装置は、取得した画像情報を、独自の画像記録フォーマットとＪＰＥＧフォーマットにより記録するものであったが、これとは異なる２種類の組み合わせの画像記録フォーマットにより記録する構成とすることも可能である。又は、３種類以上の組み合わせの画像記録フォーマットにより記録する構成とすることも可能である。この場合は、例えば、３種類以上の画像記録フォーマットの中から選択設定された１つ又は複数の画像記録フォーマットにより記録するようにすることもできる。
【００３４】
＜第３の実施の形態＞
次に、本発明の第３の実施の形態について説明する。
前述の図１４を用いて説明したように、従来においては、各システムは独自の仕様に基づいて構成されていたために、各システムに係る画像記録装置（例えば図１４の画像記録装置１ａ等）では、取得された画像情報が独自の画像記録フォーマットにより記録され、その独自の画像記録フォーマットにより記録された画像情報が当該システム内で使用されていた。
【００３５】
一方で、近年においては、医用画像と通信の規格として、ＤＩＣＯＭ（  Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ  ）が普及しつつあり、ＤＩＣＯＭに対応するシステムも存在している。
このような事情により、前述の独自の画像記録フォーマットにより記録された画像情報を、ＤＩＣＯＭに対応するシステム内でも取り扱えるようにする必要性が生じていた。
【００３６】
図３（ａ）  は、従来の画像記録装置を含むシステムの一例を示した図である。
同図（ａ）  の例では、画像記録装置（ここでは図１４の１ａとする）は、独自の画像記録フォーマットに対応した専用のネットワークシステム１ｃに接続され、そのネットワークシステム１ｃは、独自の画像記録フォーマットの画像情報をＤＩＣＯＭに対応するシステム内で取り扱うことのできる画像記録フォーマット（以下これをＤＩＣＯＭフォーマットという）の画像情報に変換するＤＩＣＯＭフォーマット変換用装置１６を介して、ＤＩＣＯＭフォーマットに対応したネットワークシステム１７に接続されている。このようなシステムにおいて、画像記録装置１ａによって独自の画像記録フォーマットにより記録された画像情報は、専用のネットワークシステム１ｃに含まれるサーバー装置（不図示）に記憶され、そして必要に応じて読み出されて、ＤＩＣＯＭフォーマット変換用装置１６によってＤＩＣＯＭフォーマットの画像情報に変換され、ＤＩＣＯＭに対応するネットワークシステム１７に含まれるサーバー装置（不図示）に記憶されていた。そして、そのネットワークシステム１７内において、必要に応じて読み出され、使用されていた。
【００３７】
このように、従来においては、独自の画像記録フォーマットにより記録された画像情報を、ＤＩＣＯＭフォーマットに対応したネットワークシステム内で使用するためには、ＤＩＣＯＭフォーマットの画像情報に変換するための変換装置が必要となり、全体としてのシステム構成が大きくなり、また複雑になっていた。
【００３８】
そこで、本実施形態に係る画像記録装置では、設定に応じて、取得した画像情報（例えば検査画像情報）を、独自の画像記録フォーマット、ＤＩＣＯＭフォーマット、又は両方の画像記録フォーマットによって記録することができるようにした。
【００３９】
図３（ｂ）  は、本実施形態に係る画像記録装置を含むシステムの一例を示した図である。
同図（ｂ）  において、画像記録装置５ｂは、独自の画像記録フォーマットに対応した専用のネットワークシステム１ｃ、及びＤＩＣＯＭフォーマットに対応したネットワークシステム１７に接続されている。
【００４０】
画像記録装置５ｂは、画像記録フォーマットの選択設定に応じて、取得した画像情報を、独自の画像記録フォーマットにより記録する、又はＤＩＣＯＭフォーマットにより記録する、又は両方の画像記録フォーマットにより記録するようになっている。その他の画像記録装置５ｂの構成については、第１の実施の形態に係る画像記録装置５と同じである。
【００４１】
このような構成のシステムにおいて、独自の画像記録フォーマットに対応した専用のネットワークシステム内で画像記録装置５ｂにより取得された画像情報が使用される場合には、画像記録装置５ｂに対し、取得した画像情報を独自の画像記録フォーマットにより記録する設定（又は、取得した画像情報を両方の画像記録フォーマットにより記録する設定）がなされる。これにより、画像記録装置５ｂにより画像情報が取得されると、その画像情報が独自の画像記録フォーマットにより記録される。そして、そのように記録された画像情報が、独自の画像フォーマットに対応した専用のネットワークシステム１ｃに含まれるサーバー装置（不図示）に送信、記憶され、それが必要に応じて読み出されて使用される。
【００４２】
また、ＤＩＣＯＭフォーマットに対応したネットワークシステム１７内で画像記録装置５ｂにより取得された画像情報が使用される場合には、画像記録装置５ｂに対し、取得した画像情報をＤＩＣＯＭフォーマットにより記録する設定（又は、取得した画像情報を両方の画像記録フォーマットにより記録する設定）がなされる。これにより、画像記録装置５ｂにより画像情報が取得されると、その画像情報がＤＩＣＯＭフォーマットにより記録される。そして、そのように記録された画像情報が、ＤＩＣＯＭフォーマットに対応したネットワークシステム１７に含まれるサーバー装置（不図示）に送信、記憶され、それが必要に応じて読み出されて使用される。
【００４３】
尚、取得した画像情報を両方の画像記録フォーマットにより記録する設定がなされた場合に画像記録装置５ｂにより画像情報が取得されると、その画像情報が、独自の画像記録フォーマットとＤＩＣＯＭフォーマットにより記録され、独自の画像記録フォーマットにより記録された画像情報が、ＤＩＣＯＭフォーマットに対応したネットワークシステム１７に含まれるサーバー装置に送信、記憶され、ＤＩＣＯＭフォーマットにより記録された画像情報が、ＤＩＣＯＭフォーマットに対応したネットワークシステム１７に含まれるサーバー装置に送信、記憶される。
【００４４】
以上、本実施形態によれば、１つの画像記録装置によって、取得した画像情報を異なる２種類の画像記録フォーマットにより記録することができるので、従来のように異なる画像記録フォーマットの画像情報へ変換するための装置を設けることなく、異なる画像記録フォーマットに対応したネットワークシステムへの接続が可能になり、全体としてのシステムを、省コスト化及び省スペース化に有利なシステムにすることができる。
【００４５】
また、従来のように画像情報を変換装置へ転送する必要がなくなるので、その転送に係る手間や費用を軽減することができる。
また、画像記録装置により記録された画像情報を、対応する画像記録フォーマットが異なる２つのネットワークシステムにおいて同時に取り扱うことが可能になるので、例えば画像情報の閲覧作業の効率を向上させることができる。
【００４６】
尚、本実施形態に係る画像記録装置は、取得した画像情報を、独自の画像記録フォーマットとＤＩＣＯＭフォーマットにより記録するものであったが、これとは異なる２種類の組み合わせの画像記録フォーマットにより記録する構成とすることも可能である。又は、３種類以上の組み合わせの画像記録フォーマットにより記録する構成とすることも可能である。この場合は、例えば、３種類以上の画像記録フォーマットの中から選択設定された１つ又は複数の画像記録フォーマットにより記録するようにすることもできる。
【００４７】
＜第４の実施の形態＞
次に、本発明の第４の実施の形態について説明する。
前述の図１４を用いて説明したように、従来においては、各システムは独自の仕様に基づいて構成されていたために、それらの中には、独自の通信プロトコルにより情報の送受が行われているシステムもあった。
【００４８】
一方で、近年においては、医用画像と通信の規格として、ＤＩＣＯＭが普及しつつあり、ＤＩＣＯＭに係る通信プロトコル（以下ＤＩＣＯＭプロトコルという）により情報の送受が行われているシステムも存在する。
このような事情により、前述の独自の通信プロトコルに従って運用されているシステム内で取り扱われている情報を、ＤＩＣＯＭプロトコルに従って運用されているシステム内でも取り扱えるようにする必要性が生じていた。
【００４９】
図４（ａ）  は、従来の、独自の通信プロトコルに従って運用されているネットワークシステムと、ＤＩＣＯＭプロトコルに従って運用されているネットワークシステムとを含む、システムの一例を示した図である。
同図（ａ）  の例では、内視鏡部門ネットワークシステム２１の構成として、内視鏡装置（ここでは図１４の１とする）に画像記録装置（ここでは図１４の１ａとする）が接続され、独自の通信プロトコルに従って運用されるネットワークを介して、内視鏡部門サーバー装置２２とＤＩＣＯＭプロトコル変換用装置２３等が接続されている。また、ＤＩＣＯＭプロトコル変換用装置２３と、病院施設内ネットワークシステム２４内のＤＩＣＯＭプロトコルに従って運用されるネットワークが接続され、その病院施設内ネットワークシステム２４の構成として、ＤＩＣＯＭプロトコルに従って運用されるネットワークを介して、端末装置２５及び施設内サーバー装置２６等が接続されている。
【００５０】
このような構成のシステムにおいて、内視鏡装置１から提供された画像情報を、病院施設内ネットワークシステム２４内で使用する場合には、次のような情報の送受が行われる。まず、内視鏡装置１から提供された画像情報が画像記録装置１ａにより取得されると、その画像情報が、独自の通信プロトコルに従って運用されるネットワークを介して、一旦内視鏡部門サーバー装置２２に記憶される。そして、その記憶された画像情報が読み出されて、ＤＩＣＯＭプロトコル変換用装置２３によりＤＩＣＯＭプロトコルに従った画像情報に変換され、その変換された画像情報が、ＤＩＣＯＭプロトコルに従って運用されるネットワークを介して、病院施設内サーバー装置２６に記憶される。その後は、必要に応じて端末装置２５等により読み出されて使用され、画像情報の閲覧等が行われる。
【００５１】
このように、従来においては、独自の通信プロトコルに従って運用されているシステム内で取り扱われている情報を、ＤＩＣＯＭプロトコルに従って運用されているシステム内で取り扱うためには、通信プロトコル変換用の装置が必要となり、全体としてのシステムの構成が大きくなり、また複雑になっていた。
【００５２】
そこで、本実施形態に係る画像記録装置では、設定に応じて、取得した画像情報を、独自の通信プロトコルに従った画像情報、又はＤＩＣＯＭプロトコルに従った画像情報、又は両方の通信プロトコルに従った画像情報にして出力することができるようにした。
【００５３】
図４（ｂ）  は、本実施形態に係る、独自の通信プロトコルに従って運用されているネットワークシステムとＤＩＣＯＭプロトコルに従って運用されているネットワークシステムを含む、システムの一例を示した図であり、同図（ａ）  に対応する図である。
【００５４】
同図（ｂ）  の例では、内視鏡部門ネットワークシステム２１の構成として、内視鏡装置１に画像記録装置５ｃが接続され、独自の通信プロトコルに従って運用されているネットワークを介して、内視鏡部門サーバー装置２２等が接続されている。また、独自の通信プロトコルに従って運用されているネットワークと、病院施設内ネットワークシステム２４内のＤＩＣＯＭプロトコルに従って運用されているネットワークとが接続され、その病院施設内ネットワークシステム２４の構成については、前述のとおりである。
【００５５】
画像記録装置５ｃは、通信プロトコルの選択設定に応じて、内視鏡装置１から取得した画像情報を出力する際に、その画像情報を、独自の通信プロトコルに従った画像情報、又はＤＩＣＯＭプロトコルに従った画像情報、又は両方の通信プロトコルに従った画像情報にして出力するようになっている。その他の画像記録装置５ｃの構成については、第１の実施の形態に係る画像記録装置５と同じである。
【００５６】
このような構成のシステムにおいて、内視鏡装置１から取得された画像情報が、ＤＩＣＯＭプロトコルに従って運用されているネットワークシステム２４内で使用される場合には、画像記録装置５ｃに対し、取得した画像情報をＤＩＣＯＭプロトコルに従った画像情報にして出力する設定（又は、取得した画像情報を両方の通信プロトコルに従った画像情報にして出力する設定）がなされる。これにより、画像記録装置５ｃにより内視鏡装置１からの画像情報が取得されると、その画像情報がＤＩＣＯＭプロトコルに従った画像情報にされて出力され、独自の通信プロトコルに従って運用されているネットワーク及びＤＩＣＯＭプロトコルに従って運用されているネットワークを介して、病院施設内サーバー装置２６に記憶され、それが必要に応じて読み出されて使用される。
【００５７】
また、内視鏡装置１から取得された画像情報が、独自の通信プロトコルに従って運用されているネットワークシステム２１内で使用される場合には、画像記録装置５ｃに対し、取得した画像情報を独自の通信プロトコルに従った画像情報にして出力する設定（又は、取得した画像情報を両方の通信プロトコルに従った画像情報にして出力する設定）がなされる。これにより、画像記録装置５ｃにより内視鏡装置１からの画像情報が取得されると、その画像情報が独自の通信プロトコルに従った画像情報にされて出力され、独自の通信プロトコルに従って運用されているネットワークを介して、内視鏡部門サーバー装置２２に記憶され、それが必要に応じて読み出されて使用される。
【００５８】
尚、取得した画像情報を両方の通信プロトコルに従った画像情報にして出力する設定がなされた場合に画像記録装置５ｃにより内視鏡装置１からの画像情報が取得されると、その画像情報が、ＤＩＣＯＭプロトコルに従った画像情報にされて出力されると共に、独自の通信プロトコルに従った画像情報にされて出力され、ＤＩＣＯＭプロトコルに従った画像情報は、病院施設内サーバー装置２６に記憶され、独自の通信プロトコルに従った画像情報は、内視鏡部門サーバー装置２２に記憶される。
【００５９】
以上、本実施形態によれば、１つの画像記録装置によって、取得した画像情報を異なる２種類の通信プロトコルにより出力することができるので、従来のように通信プロトコル変換用の装置を設けることなく、異なる通信プロトコルに従って運用されているネットワークシステムへの接続が可能になり、全体としてのシステムを、省コスト化及び省スペース化に有利なシステムにすることができる。
【００６０】
また、従来のように画像情報を変換装置へ転送する必要がなくなるので、その転送に係る手間や費用を軽減することができる。
また、画像記録装置により取得された画像情報を、異なる通信プロトコルに従って運用されている２つのネットワークシステムにおいて同時に取り扱うことが可能になるので、例えば画像情報の閲覧作業の効率を向上させることができる。
【００６１】
尚、本実施形態に係る画像記録装置は、取得した画像情報を、独自の通信プロトコルとＤＩＣＯＭプロトコルに従った画像情報にして出力するものであったが、これとは異なる２種類の組み合わせの通信プロトコルに従った画像情報にして出力する構成とすることも可能である。又は、３種類以上の組み合わせの通信プロトコルに従った画像情報にして出力する構成とすることも可能である。この場合、例えば、３種類以上の通信プロトコルの中から選択設定された１つ又は複数の通信プロトコルに従った画像情報にして出力するようにすることもできる。
【００６２】
また、本実施形態に係る画像記録装置では、出力対象となる情報を画像情報としたが、それを検査画像及び患者情報とすることも可能である。
＜第５の実施の形態＞
次に、本発明の第５の実施の形態について説明する。
【００６３】
前述の図１４を用いて説明したように、従来においては、各システムは独自の仕様に基づいて構成されていたために、各システムの装置の保守管理作業は個別に行われていた。例えば画像記録装置（図１４の画像記録装置５等）の中には、装置の設定情報や状態情報等といった種々の情報を記録し保守管理等に利用することのできる機能を備えた装置がある。また、プログラム（ソフトウェア）によって機能を実現するようにした装置も提案されている。しかしながら、その設定情報等の取得やそのプログラムの更新等といった画像記録装置の保守管理作業においては、保守管理対象となる装置本体から直接に情報を取り出す、若しくはその装置本体の制御プログラムを直接に書き換える等といった作業が必要になり、保守管理のために装置を回収する手間、或いは装置が設けられている場所へ出向く手間や、保守用装置の接続や装置筐体の開閉等といった手間がかかり、容易に保守管理を行うことができなかった。また、図５（ａ）  に示したように、複数の画像記録装置の保守管理作業を一度に行う場合には、個別に保守管理作業を行わなければならないので手間がかかり、設定の過ちやプログラムの更新不備等といった作業ミスを生じる虞があった。
【００６４】
そこで、本実施形態に係る画像記録装置においては、このような保守管理作業に係る負担を軽減すべく、ネットワークに接続される保守管理装置から保守管理作業を行えるようにした。
図５（ｂ）  は、本実施形態に係る画像記録装置を含むシステムの一例を示した図である。
【００６５】
同図において、画像記録装置５ｄ、５ｅは、ネットワークを介して、保守管理装置（端末装置）３１に接続されている。
画像記録装置５ｄ、５ｅの各々は、必要に応じて、保守管理装置３１に来歴等の情報（設定情報や状態情報等）を出力し、また保守管理装置３１から出力された設定情報に基づいて当該装置の設定を変更し、また当該装置のプログラムを、保守管理装置３１から出力された更新プログラムに更新する等といったことを行う。その他の画像記録装置５ｄ、５ｅの各々の構成については、第１の実施の形態に係る画像記録装置５と同じである。
【００６６】
このような構成のシステムにおいて、画像記録装置５ｄ、５ｅの保守管理が一律に行われるときには、保守管理装置３１によって、画像記録装置５ｄ、５ｅの各々からネットワークを介して来歴等の情報が取得され表示される。また、画像記録装置５ｄ、５ｅの各々へ対応する設定情報が出力され、その各々では、その設定情報に基づいて当該装置の設定が変更される。また、保守管理装置３１には画像記録装置５ｄ、５ｅの各々の更新プログラムが記憶されており、保守管理装置３１によって、その各々の更新プログラムがそれぞれ対応する装置５ｄ、５ｅに出力され、装置５ｄ、５ｅの各々では、当該装置のプログラムがその更新プログラムに更新される。
【００６７】
このように、ネットワークに接続される保守管理装置３１から一律に画像記録装置５ｄ、５ｅの保守管理が行われる。
以上、本実施形態によれば、ネットワークに接続されている端末装置を介して、全ての画像記録装置の状態等を取得することができ、また、全ての画像記録装置の設定やプログラムの更新等を行うことができるので、保守管理作業が容易になる。
【００６８】
また、ネットワークに接続されている端末装置を介して一律にプログラムの更新等を行うことができるため、画像記録装置毎に更新用プログラムが記録された記録媒体を準備する必要もないので、省コスト化に有効である。
また、ネットワークに接続されている端末装置を介して一律に保守管理作業を行えるので、プログラムの更新不備等といった人為的な作業ミスを極力低減させることができる。
【００６９】
尚、本実施形態では、保守管理対象となる装置を２つの画像記録装置としたが、その保守管理対象となる装置の数や種類を、他の数や種類とすることも可能である。
＜第６の実施の形態＞
次に、本発明の第６の実施の形態について説明する。
【００７０】
本実施形態は、複数の装置が接続されている画像記録装置の保守管理を容易にするようにしたものである。
図６は、本実施形態に係る画像記録装置を含むシステムの一例を示した図である。
【００７１】
同図において、画像記録装置５ｆには、取得する情報の出力元となる装置として、外部接続装置３６、３７が接続され、その各々から出力される映像信号等が入力されるようになっている。尚、外部接続装置３６、３７は、例えば、図１の電子内視鏡装置１、超音波内視鏡装置２等である。また、画像記録装置５ｆには、保守管理用画面等が表示される表示装置６（図１に示したものと同じ）が接続されている。
【００７２】
画像記録装置５ｆは、外部接続装置３６、３７の各々から出力される映像信号の入力の有無に応じて、各々の映像信号の入力状態を表示装置６の保守管理用画面に表示させる。また、その他、外部接続装置３６、３７の各々から出力される当該装置の設定情報や状態情報等を、来歴情報等として記録する。その他の画像記録装置５ｆの構成は、図１に示した画像記録装置５と同じである。
【００７３】
このような構成のシステムにおいて、例えば、外部接続装置３６と画像記録装置５ｆとの間の通信ラインが断線した場合等には、外部接続装置３６からの映像信号が画像記録装置５ｆに入力されなくなり、その映像信号の入力の無い旨が、表示装置６に表示されるようになる。例えば、図６に示したように、外部接続装置３６からの映像信号が無い旨の”映像入力Ａ  ＯＦＦ”が表示される。尚、ここでは、外部接続装置３７からの映像信号は正常に入力されているので、外部接続装置３７については、映像信号の入力が有る旨の”映像入力Ｂ  ＯＮ”が表示される。
【００７４】
このようにすることにより、画像記録装置に接続されている複数の外部接続装置の何れかに不具合が発生した場合に、各外部接続装置との接続を目視及び検査装置等を用いて調査を行う、若しくは画像記録装置或いは各外部接続装置から種々の通信手段により出力される来歴情報を取得し解析する、等といったことを行わなくても、容易に不具合箇所を特定できるようになる。
【００７５】
以上、本実施形態によれば、複数の装置の各々から出力される信号の入力状態を、保守用画面に表示させることにより、検査装置等を用いることなく、動作の確認及び不具合の解析等を行うことができ、保守管理作業の簡易化及び省コスト化が可能になる。
【００７６】
尚、本実施形態に係る画像記録装置では、各外部接続装置から出力される映像信号の入力の有無を保守管理用画面に表示させるものであったが、例えば、各外部接続装置との通信状態を必要に応じて確認するようにし、その確認結果（通信状態が正常であるか否か）を保守管理用画面に表示させるようにすることも可能である。
【００７７】
また、本実施形態に係る画像記録装置には、取得する情報の出力元となる装置として２つの２種類の装置が接続される構成であったが、それとは異なる数の異なる種類の装置が接続される構成とすることも可能である。
＜第７の実施の形態＞
次に、本発明の第７の実施の形態について説明する。
【００７８】
従来の画像記録装置（図１４の画像記録装置５等）の中には、情報の取得，不具合等の解析，或いは復旧等の目的において、接続されている装置の動作状態，及びエラーの内容等といった種々の情報を来歴データとして装置内に逐次記録し、必要に応じてその来歴データを装置内より読み出し、不具合の解析や復旧等の作業を容易にするようにした装置が存在する。
【００７９】
しかしながら、このような画像記録装置では、記録容量の制約等の理由により、既に一定量の来歴データが記録され、新たな来歴データを記録するのに十分な空記録容量が無い場合に、新たな来歴データを記録するときには、例えば、図７（ａ），（ｂ），（ｃ）  に示したようにして処理が行われていた。
【００８０】
つまり、そのときには、同図（ａ）  に示したように来歴データの記録領域の先頭に戻って上書きする、又は同図（ｂ）  に示したように既に記録されている来歴データを全て消去した後に記録する、又は同図（ｃ）  に示したように動作しない（記録しない）、等といった処理が行われる。
【００８１】
このようなことにより、全ての来歴データを記録することは難しく、不具合の解析や装置の動作状態の把握等が困難になるという問題があった。
そこで、本実施形態に係る画像記録装置では、当該装置の起動毎に来歴データをサーバー装置に保存するようにし、全ての来歴データを記録することができるようにした。
【００８２】
図７（ｄ）  は、本実施形態に係る画像記録装置を含むシステムの一例を示した図である。
同図（ｄ）  に示したように、画像記録装置５ｇは、ネットワークを介してサーバー装置４１に接続されている。
【００８３】
画像記録装置５ｇは、当該装置５ｇが起動される毎に、当該装置５ｇに記録されている来歴データを、ネットワークを介して、サーバー装置４１に送信、記録し、その後、当該装置５ｇの来歴データの記録領域を解放する。その他の画像記録装置５ｇの構成は、第１の実施の形態に係る画像記録装置５と同じである。
【００８４】
以上、本実施形態によれば、画像記録装置の起動時に、当該装置に記録されている来歴データがサーバー装置に記録されるようになるので、画像記録装置の稼動開始時から現時点までの全ての来歴データを取得することができ、稼動開始時からの画像記録装置の状況を把握することができる。
【００８５】
また、起動時には毎回、画像記録装置の来歴データの記録領域が解放されるので、その記録領域の容量オーバーによる回避操作等が不要になる。
また、起動時から次回起動時までの単位で、来歴データを記録するので、画像記録装置の状態を把握し易くなる。
＜第８の実施の形態＞
次に、本発明の第８の実施の形態について説明する。
【００８６】
従来、入力された映像信号を基に画像等を閲覧するための指標となる縮小画像を複数枚作成して表示し、その中から選択指示された縮小画像に係る本画像を表示するようにした、画像記録装置を含むシステムが複数存在する。これらのシステムにおいては、前述の図１４を用いて説明したように、各システムは独立して存在していたために、映像信号を出力する装置や画像を再生する装置等の組み合わせによって必要とされる縮小画像の大きさ等が異なり、組み合わせによっては縮小画像を再生できない、或いは縮小画像を作成できない等といった問題があった。
【００８７】
図８（ａ）  は、従来の画像記録装置を含むシステムの一例を示した図である。
同図（ａ）  には、２つのシステムを示しており、同図（ａ）  の上側のシステムでは、画像記録装置４６ａに、内視鏡装置４７ａが接続されると共にネットワークを介して画像再生装置４８ａ及びサーバー装置４９ａ等が接続されている。また、同図（ａ）  の下側のシステムも同様に、画像記録装置４６ｂに、内視鏡装置４７ｂが接続されると共にネットワークを介して画像再生装置４８ｂ及びサーバー装置４９ｂ等が接続されている。尚、内視鏡装置４７ａは、例えばＳＤＴＶ（  Ｓｔａｎｄａｒｄ  Ｄｅｆｉｎｉｔｉｏｎ  Ｔｅｌｅｖｉｓｉｏｎ  ）方式の映像信号を出力する装置であり、内視鏡装置４７ｂは、例えばＨＤＴＶ（  Ｈｉｇｈ  Ｄｅｆｉｎｉｔｉｏｎ  Ｔｅｌｅｖｉｓｉｏｎ  ）方式の映像信号を出力する装置である。
【００８８】
両システムともに、画像記録装置４６により、内視鏡装置４７から出力される映像信号を基に画像を閲覧するための指標となる縮小画像に係る縮小画像データ（縮小画像情報）が複数作成され、これらがネットワークを介してサーバー装置４９に記憶され、それらが必要に応じて読み出されて画像再生装置４８に表示されるようになっている。但し、同図（ａ）  の上側のシステムでは、必要な縮小画像サイズが小であることに対応して画像記録装置４６ａは縮小画像サイズを小とした縮小画像データを作成するものである。これに対して、同図（ａ）  の下側のシステムでは、必要な縮小画像サイズが大であることに対応して画像記録装置４６ｂは縮小画像サイズを大とした縮小画像データを作成するものである。従って、両システムでは作成される縮小画像サイズが異なるために、例えば画像記録装置４６ａは、同図（ａ）  の下側のシステムで必要な縮小画像に係る、縮小画像サイズが大となる縮小画像データを作成することができなかった。
【００８９】
このように、従来では、システムの違いにより画像記録装置により作成される縮小画像データに係る縮小画像サイズが異なるために、同一の画像記録装置を異なるシステムで共用することができないという問題があった。
そこで、本実施形態に係る画像記録装置においては、複数種類のサイズの縮小画像に係る縮小画像データを作成することができるようにした。
【００９０】
同図（ｂ）  は、本実施形態に係る画像記録装置を含むシステムの一例を示した図である。
同図（ｂ）  には、２つのシステムが示されており、同図（ｂ）  の上側のシステムは、前述の同図（ａ）  の上側のシステムにおいて、画像記録装置４６ａの代わりに本実施形態に係る画像記録装置５ｈを設けたものである。また、同図（ｂ）  の下側のシステムは、前述の同図（ａ）  の下側のシステムにおいて、画像記録装置４６ｂの代わりに本実施形態に係る画像記録装置５ｈを設けたものである。尚、サーバー装置４９ａ、４９ｂは省略して示している。
【００９１】
画像記録装置５ｈは、縮小画像サイズの選択設定により、縮小画像サイズの異なる縮小画像に係る画像データを作成することができるように構成されており、例えば、同図（ｂ）  の上側のシステムの場合には、縮小画像サイズを小とする縮小画像に係る縮小画像データを作成するように設定されて使用され、同図（ｂ）  の下側のシステムの場合には、縮小画像サイズを大とする縮小画像に係る縮小画像データを作成するように設定されて使用される。その他の画像記録装置５ｈの構成は、第１の実施の形態に係る画像記録装置５と同じである。
【００９２】
以上、本実施形態によれば、画像記録装置が適用されるシステムに応じて当該装置の設定を変更することにより、そのシステムに対応するサイズの縮小画像に係る縮小画像データを作成することができるので、同一の画像記録装置を複数のシステムに適用することが可能になる。また、複数のシステムに対して必要となる画像記録装置が１つで済むので、保守管理が容易になる。
【００９３】
尚、本実施形態に係る画像記録装置では、設定により、対応するサイズの縮小画像に係る縮小画像データを作成するものであったが、例えば、接続されている装置から装置情報（機種情報等）を取得して、その装置情報に応じて、対応するサイズの縮小画像に係る縮小画像データを作成するようにすることも可能である。この場合、画像記録装置５ｈは、例えば、同図（ｂ）  の上側のシステムでは、内視鏡装置４７ａ或いは画像再生装置４８ａから装置情報を取得すると、その装置情報に応じて、サイズが小となる縮小画像に係る縮小画像データを作成し、また同図（ｂ）  の下側のシステムでは、内視鏡装置４７ｂ或いは画像再生装置４８ｂから装置情報を取得すると、その装置情報に応じて、サイズが大となる縮小画像に係る縮小画像データを作成する。
＜第９の実施の形態＞
次に、本発明の第９の実施の形態について説明する。
【００９４】
従来、内視鏡検査部門で使用される、画像記録装置を含むシステムにおいては、内視鏡装置を介して入力される患者情報とは別に、データベースから読み出される、既に登録済みの患者情報が存在していた。そのため、検査時に、使用する患者情報の選択を誤ったり、患者情報の入力をミスしたりしても、その選択等の過程が記録に残らず、結果的に正しい患者情報が登録されない虞があった。また婚姻等により患者の姓が変わっても、従来のシステムではデータベースに登録済みの患者情報が優先されていたために、内視鏡装置を介しての入力では修正できないといった問題があった。
【００９５】
そこで、本実施形態では、患者情報の使い分けを正しく行って、常に正しい患者情報がデータベースに登録されるようにした。
図９（ａ）  は、本実施形態に係る画像記録装置を含むシステムの一例を示した図である。
【００９６】
同図（ａ）  に示したように、画像記録装置５ｉは、ビデオライン５３及び通信ライン５２を介して内視鏡装置５１と接続され、また、ネットワーク５４を介して、予約端末装置５５及びデータベース（ＤＢ）である外部ストレージ５６等と接続されている。
【００９７】
尚、本例では、画像記録装置５ｉに内視鏡装置５１が接続される例を示すが、前述の第１の実施の形態に係る画像記録装置５と同様に、取得する情報を出力する装置として、超音波内視鏡装置２や外部装置４等その他の複数の装置を接続することも可能である。
【００９８】
内視鏡装置５１は、各種の入力を受け付けるキーボード５１ａ及び各種の情報を表示するモニター５１ｂ等を有している。
画像記録装置５ｉは、外部装置通信制御部５７、画像処理部５８、合成画像生成部５９、操作パネル６０、及び制御部６１等を有している。外部装置通信制御部５７は、通信ライン５２を介して内視鏡装置５１との間の通信に係る制御を行う。画像処理部５５は、ビデオライン５３を介して内視鏡装置５１との間で映像信号の送受を行い、また必要に応じて所定の画像処理を行う。合成画像生成部５９は、必要に応じて所定の合成画像を生成する。操作パネル６０は、各種の入力を受け付ける。制御部６１は、画像記録装置５ｉの全体の動作を制御する。
【００９９】
また、制御部６１は、内部にＲＡＭ６１ａを備え、そのＲＡＭ６１ａには、装置入力情報領域、外部ストレージ情報領域、及びフラグ領域が設けられている。装置入力情報領域には内視鏡装置５１のキーボード５１ａを介して入力された患者情報が格納され、また外部ストレージ情報領域には外部ストレージ５６に記憶（登録）されている患者情報が読み出されて格納される。尚、本例において、患者情報とは、患者ＩＤ、患者名、生年月日、性別、年齢等の項目のうちの何れか１つ又は複数の項目の情報を含むものとする。また、フラグ領域には、装置入力情報領域に格納されている患者情報を優先するか、或いは外部ストレージ情報領域に格納されている患者情報を優先するかを指示する優先フラグ（患者情報の優先度を指示する優先フラグ）が格納され、その優先フラグにより指示された患者情報が通信ライン５２を介して内視鏡装置５１へ出力され、内視鏡装置５１のモニター５１ｂに表示される。また、この優先フラグについては、それが装置入力情報領域に格納されている患者情報を優先することを指示するものである場合には内視鏡装置５１を介しての患者情報の入力、変更が許可され、それが外部ストレージ情報領域に格納されている患者情報を優先することを指示するものである場合には、内視鏡装置５１を介しての患者情報の入力、変更が禁止される。
【０１００】
また、これらの、装置入力情報領域、外部ストレージ情報領域、及び優先フラグ領域に格納されている情報は、必要に応じて外部ストレージ５６に記憶（登録）される。但し、その記憶の際には、画像情報と共に関連付けされて記憶される。
【０１０１】
図９（ｂ）  は、その時に外部ストレージ５６に記憶される情報の一例を示した図である。同図（ｂ）  の例では、ＲＡＭ６１ａの、装置入力情報領域、外部ストレージ情報領域、フラグ領域に格納されている各々の情報を、内視鏡入力患者情報、ＤＢ検索患者情報、優先フラグとし、それぞれ検査情報１、検査情報２、検査情報３として示している。また、圧縮画像データは、関連付けされて記憶される画像情報を示している。
【０１０２】
また、画像記録装置５ｉとネットワーク５４を介して接続される、予約端末装置５５は、事前の患者情報（検査情報）の入力の受け付け等を行い、また外部ストレージ５６は、予約端末装置５５により受け付けられた患者情報や、画像記録装置５ｉから出力された、前述の同図（ｂ）  に示した情報等を記憶（登録）する。
【０１０３】
このような構成のシステムにおいて、通常の内視鏡検査時には、装置入力情報領域に格納されている患者情報を優先することを指示する優先フラグが、ＲＡＭ６１ａの優先フラグ領域に設定（記憶）され、内視鏡装置５１を介しての患者情報の入力、変更が許可される。この場合、内視鏡装置５１を介して患者情報が入力されると、それがＲＡＭ６１ａの装置入力情報領域に格納されると共に、その患者情報が内視鏡装置５１へ出力されモニター５１ｂに表示される。尚、このときに、入力された患者情報を基に外部ストレージ５６に記憶されている患者情報を特定できるとき、例えば患者情報として患者ＩＤ又は患者名及び生年月日の双方が入力されたとき等には、その入力された患者情報を基に外部ストレージ５６の検索が行われ、対応する患者情報が検索されたときには、その患者情報が読み出されてＲＡＭ６１ａの外部ストレージ情報領域に格納される。そして、外部ストレージ情報領域に格納された患者情報のうち、装置入力情報領域に格納された患者情報に含まれていない項目の情報がある場合には、その情報が内視鏡装置５３へ出力されモニター５１ｂに表示される。これにより、内視鏡装置５１を介して入力された項目以外の未入力の項目の情報も、モニター５１ｂに表示されるようになる。また、このときに、内視鏡装置５１を介して患者情報の変更が行われた場合には、その変更後の患者情報が、ＲＡＭ６１ａの装置入力情報領域に格納されると共に、その変更後の患者情報が内視鏡装置５１のモニター５１ｂに表示される。
【０１０４】
又は、予約端末装置５５を介して事前に患者情報が入力され、その患者情報が外部ストレージ５６に記憶（登録）されたときには、その患者情報がＲＡＭ６１ａの外部ストレージ情報領域に格納される共に、外部ストレージ情報領域に格納されている患者情報を優先することを指示する優先フラグが、優先フラグ領域に設定（記憶）される。この場合には、設定された優先フラグに応じて、外部ストレージ情報領域に格納されている患者情報が、内視鏡装置５１へ出力されモニター５１ｂに表示される。但し、このときには、優先フラグ領域に格納されている優先フラグに応じて、内視鏡装置５１を介しての入力、変更が禁止されているので、患者情報の入力、変更はできない。従って、事前に登録された患者情報の確認の際に誤入力される等して患者情報が変更されてしまうのを防止することができる。
【０１０５】
尚、この優先フラグ領域に格納されている優先フラグは、操作パネル６０を介して行われる指示により自由に設定変更できるようになっている。従って、例えば、事前に予約端末装置５５を介して外部ストレージ５６に患者情報が登録された際に設定された優先フラグを、装置入力情報領域に格納されている患者情報を優先することを指示する優先フラグに設定変更することによって、内視鏡装置５１を介して患者情報の変更等を行うことが可能になる。
【０１０６】
以上、本実施形態によれば、内視鏡検査時に内視鏡装置を介して入力された患者情報と、事前に外部ストレージ５６に登録された患者情報とを、上述のようにして使い分けることにより、患者情報の入力を正しく行うことができる。また、図９（ｂ）  に示したように、内視鏡装置を介して入力された患者情報と、外部ストレージ５６から読み出された患者情報とを別々に記録することができるため、操作状況等を後に確認することができ、患者情報に誤りがあった場合にも確実に訂正を行うことができる。また、優先フラグを用いることで、適当な入力方法が優先されるようになり、患者情報の入力作業を効率的かつ正確に行うことができる。
＜第１０の実施の形態＞
次に、本発明の第１０の実施の形態について説明する。
【０１０７】
従来、内視鏡装置等から出力される映像信号から画像情報を取得し患者情報と共にデータベースに登録（記憶）するようにした、画像記録装置を含むシステムがある。このようなシステムでは、患者情報が未入力の場合や正しく入力されていない場合等に画像情報の登録を行うときには、仮の患者ＩＤを自動生成し、それを画像情報に付与して登録するようにしていた。しかしながら、このようにして登録された画像情報においては、何れの検査装置或いは何れの検査に係る画像情報であるか等といったことを特定することができず、また、データベースに既に登録されているものと同一の仮の患者ＩＤが付与された画像情報が登録される場合には、既に登録されているものが、その同一の仮の患者ＩＤが付与された画像情報により上書きされてしまう虞があった。
【０１０８】
そこで、本実施形態に係る画像記録装置では、仮の患者ＩＤとして、後に何れの検査装置或いは何れの検査に係るものであるかを特定可能な固有の情報を画像情報に付与し記録するようにした。
図１０は、本実施形態に係る画像記録装置を含むシステムの一例を示した図である。尚、同図において、前述の図９（ａ）  に示した構成と同一の構成については同一の符号を付して示してある。
【０１０９】
図１０において、画像記録装置５ｊの制御部６３は、画像記録装置５ｊの全体の動作を制御するものであり、内部に不揮発性メモリ６３ａを有している。不揮発性メモリ６３ａには、仮の患者ＩＤに係る情報として、画像記録装置５ｊの、シリアルナンバー（当該装置５ｊに固有のナンバー）又はネットワーク通信に用いられるＭＡＣ（  Ｍｅｄｉａ  Ａｃｃｅｓｓ  Ｃｏｎｔｒｏｌ  ）アドレスが記憶される。尚、このシリアルナンバーやＭＡＣアドレスは、操作パネル６０を介して入力されるものである。或いは、ＭＡＣアドレスについては、自動的に取得するようにしても良い。その他の構成については、前述の図９（ａ）  に示した構成と同一である。但し、図１０では、図９（ａ）  の予約端末装置５５が省かれている。
【０１１０】
尚、本例では、画像記録装置５ｊに内視鏡装置５１が接続される例を示すが、前述の第１の実施の形態に係る画像記録装置５と同様に、取得する情報を出力する装置として、超音波内視鏡装置２や外部装置４等その他の複数の装置を接続することも可能である。
【０１１１】
このような構成のシステムにおいて、検査が開始されると、通常時には、ビデオライン５３を介して内視鏡装置５１からの映像信号から取得した画像情報に、内視鏡装置５１のキーボード５１ａを介して入力された患者ＩＤが付与され、それがネットワーク５４を介して外部ストレージ５６に記憶される。
【０１１２】
一方で、内視鏡装置５１のキーボード５１ａを介して患者情報（患者ＩＤを含む）が入力されないまま検査が開始されたために画像情報に患者ＩＤが付与されないまま外部ストレージ５６に記憶される場合や、通信ライン５２の不具合により患者情報を取得できない場合等には、患者ＩＤを取得することができないので、このような場合には、不揮発性メモリ６３ａに記録されているシリアルナンバー又はＭＡＣアドレスに係る仮の患者ＩＤが自動的に生成され、それが画像情報に付与されて、外部ストレージ５６に記憶されるようになる。
【０１１３】
尚、このときに自動生成される、シリアルナンバー又はＭＡＣアドレスに係る仮の患者ＩＤは、操作パネル６０を介して行われる指示により、シリアルナンバー，ＭＡＣアドレス，レリーズ番号，記録開始日時，の中の組み合わせからなる、次の６つの中から選択される。すなわち、仮の患者ＩＤとして、▲１▼シリアルナンバー＋レリーズ番号，▲２▼シリアルナンバー＋記録開始日時，▲３▼シリアルナンバー＋レリーズ番号＋記録開始日時，▲４▼ＭＡＣアドレス＋レリーズ番号，▲５▼ＭＡＣアドレス＋記録開始日時，▲６▼ＭＡＣアドレス＋レリーズ番号＋記録開始日時，の何れか一つが選択される。
【０１１４】
ここで、レリーズ番号は、０００１から始まり、レリーズ毎に１インクリメントされる。また、仮の患者ＩＤとしてレリーズ番号を用いる場合には、１画像に係る画像情報毎に、仮の患者ＩＤが生成、付与される。また、レリーズ番号を用いない場合には、連続する画像に係る画像情報に同じ仮の患者ＩＤが生成、付与され、それらが同一のグループとされる。また、レリーズ番号と記録開始日時を組み合わせて用いる場合には、レリーズ番号が１日の検査開始時にリセットされる。
【０１１５】
以上、本実施形態によれば、患者ＩＤを取得できない場合に、仮の患者ＩＤとして、画像記録装置に固有のシリアルナンバー又はＭＡＣアドレスの何れかが画像情報に付与されるので、画像情報を取得した装置の特定が容易になる。また、仮の患者ＩＤとしてレリーズ番号を用いた場合には、そのレリーズ番号により画像情報の記録順を容易に判別することができる。また、画像情報に付与する仮の患者ＩＤを、装置毎、検査毎に管理し易い設定に変更することができる。
＜第１１の実施の形態＞
次に、本発明の第１１の実施の形態について説明する。
【０１１６】
本実施形態は、画像記録装置に内視鏡装置や超音波内視鏡装置等といった複数の装置が接続されて使用される場合に、検査時間を特定するために必要な検査開始時刻及び検査終了時刻を、接続される一の装置から出力される制御コマンドに基づいて取得するようにしたものである。
【０１１７】
図１１は、本実施形態に係る画像記録装置を含むシステムの一例を示した図である。尚、同図において、前述の図９（ａ）  に示した構成と同一の構成については同一の符号を付して示してある。
図１１において、画像記録装置５ｈは、内視鏡装置５１の他に、ビデオライン６６及び通信ライン６７を介して超音波内視鏡装置６８と接続されている。外部装置通信制御部７１は、通信ライン５２を介して内視鏡装置５１との間の通信を制御し、また通信ライン６６を介して超音波内視鏡装置６８と間の通信を制御する。また、外部装置通信制御部７１に備えられた通信装置設定部７１ａは、操作パネル６０を介して行われる指示に応じて、画像記録装置５ｈに備えられている複数の通信ポートの各々とそれらに接続される装置の各々との対応関係、及び接続される装置の中から、優先的に受信するようにする検査開始コマンド及び検査終了コマンドを出力する装置が接続される通信ポート、を設定する。これにより、通信装置設定部７１ａにより設定された通信ポートに接続される装置から出力される検査開始コマンド及び検査終了コマンドに基づいて検査開始時刻及び検査終了時刻が取得され、検査時間が特定されるようになる。
【０１１８】
また、本実施形態において、画像処理部５８は、ビデオライン６７を介して、超音波内視鏡装置６８からの映像信号の受信も行う。また、制御部７２は、画像処理装置７ｈの全体の動作を制御する。
その他の構成については、前述の図９（ａ）  に示した構成と同一である。但し、図１１では、図９（ａ）  のネットワーク５４、予約端末装置５５、及び外部ストレージ５６が省かれている。
【０１１９】
このような構成のシステムにおいて、通信装置設定部７１ａによる設定は、次のようにして行われる。まず、操作パネル６０を介して、その設定に係る操作画面の表示指示が行われると、合成画像生成部５９によりその操作画面が生成され、ビデオライン５３を介して内視鏡装置５１へ出力されてモニター５１ｂに表示される。そして、操作パネル６０を介してその操作画面に従った設定指示が行われると、通信装置設定部７１ａにより、その設定指示に応じて、画像記録装置５ｈの複数の通信ポートの各々とそれらに接続される装置の各々との対応関係、及び優先的に受信するようにする検査開始コマンド及び検査終了コマンドを出力する装置が接続される通信ポート、の設定が行われる。
【０１２０】
ここでは、画像記録装置５ｈが、通信ポートＡ，Ｂ等を含む複数の通信ポートを備えているものとし、その複数の通信ポートの中から、通信ポートＡに接続される装置として内視鏡装置５１、通信ポートＢに接続される装置として超音波内視鏡装置６８といった通信ポートと装置との対応関係が設定され、また優先的に受信するようにする検査開始コマンド及び検査終了コマンドを出力する装置が接続される通信ポートとして、通信ポートＡが設定されたものとする。
【０１２１】
尚、このように、通信ポートＡを設定した理由は、一般的に内視鏡検査においては、内視鏡装置が検査の全体期間を通じて使用されるのに対して、超音波内視鏡装置は、検査の一部期間の使用に限られており、使用されない場合もある。そこで、内視鏡装置から出力される検査開始コマンド及び検査終了コマンドに基づいて検査開始時刻及び検査終了時刻を取得して検査時間を特定するようにした、という理由による。
【０１２２】
続いて、このような設定が行われた後、実際に内視鏡検査が開始される。まず、その検査が開始される前に、内視鏡装置５１が起動され、その内視鏡装置５１を介して患者情報の入力が行われる。そして、内視鏡装置５１を用いた検査が開始されると、内視鏡装置５１から検査開始コマンドが出力される。このとき、前述の通信ポートの設定により内視鏡装置５１からの検査開始コマンドに基づいて検査開始時刻を取得するようになっていることから、その検査開始コマンドを受信した時刻が、検査開始時刻として取得される。
【０１２３】
また、この内視鏡検査中においては、必要に応じて超音波内視鏡装置６８が使用される。この場合、超音波内視鏡装置６８が起動され、超音波内視鏡装置６８を用いた検査が開始されると、超音波内視鏡装置６８から出力された検査開始コマンドが受信されるが、このときは、前述の通信ポートの設定により、その検査開始コマンドに基づいて検査開始時刻の取得は行われない。また、超音波内視鏡装置６８を用いた検査が終了すると、超音波内視鏡装置６８から出力された検査終了コマンドが受信されるが、このときは、前述の通信ポートの設定により、その検査終了コマンドに基づいて検査終了時刻の取得は行われない。
【０１２４】
そして、内視鏡装置５１を用いた検査が終了すると、内視鏡装置５１から検査終了コマンドが出力される。このとき、前述の通信ポートの設定により内視鏡装置５１からの検査終了コマンドに基づいて検査終了時刻を取得するようになっていることから、その検査終了コマンドを受信した時刻が、検査終了時刻として取得される。
【０１２５】
そして、内視鏡検査が終了する。
このようなシステムの動作により、内視鏡装置５１から出力された検査開始コマンド及び検査終了コマンドに基づいて検査開始時刻及び検査終了時刻が取得され、その検査開始時刻及び検査終了時刻から、内視鏡検査に係る検査時間が特定されるようになる。尚、これら検査開始時刻、検査終了時刻、及び検査時間等は、当該画像記録装置５ｈに記録される。
【０１２６】
以上、本実施形態によれば、画像記録装置に複数の装置が接続される場合であっても、設定により、そのうちの１つの装置から出力される制御コマンドに基づいて検査時間の特定を行うことができるので、例えば、一般的に内視鏡検査の全体期間において使用される内視鏡装置から出力される制御コマンドに基づいて検査時間の特定を行うように設定することによって、内視鏡検査に係る検査時間を的確に規定することが可能になる。
＜第１２の実施の形態＞
次に、本発明の第１２の実施の形態について説明する。
【０１２７】
本実施形態は、指示に応じて、画像記録装置が画像情報を記録する際に、取得した原画像情報を圧縮した圧縮画像情報を記録するか、又は原画像情報（非圧縮画像情報）をそのまま記録するか、の何れかを行うことができるようにした。
尚、その非圧縮画像情報である原画像情報は、医用画像と通信の規格であるＤＩＣＯＭに準拠した画像情報でもある。
【０１２８】
図１２は、本実施形態に係る画像記録装置の構成例を示した図である。
同図において、画像記録装置は、当該装置全体の動作を制御するＣＰＵ７６、、取得した原画像情報が記憶される原画用メモリ７７、原画像情報を圧縮する画像圧縮用ブロック７８、圧縮された原画像情報（圧縮画像情報）が記憶される圧縮データ用メモリ７９、原画像圧縮用ブロックコントローラであって且つメモリコントローラであるコントローラ８０、原画像情報或いは圧縮画像情報等が記録される記録媒体８１等を有している。その他の構成は、第１の実施の形態に係る画像記録装置５と同じである。
【０１２９】
このような構成の画像記録装置は、ユーザからの指示に応じて、取得した原画像情報を圧縮した圧縮画像情報を記録するか、又は原画像情報をそのまま記録するか、の何れかを行うようになっている。
ユーザからの指示に応じて、取得した原画像情報を圧縮した圧縮画像情報を記録する場合には、ＣＰＵ７６は、まずコントローラ８０に対し画像圧縮用ブロック７８の起動命令を与える（矢印Ａ）。これにより、画像圧縮用ブロック７８により、取得された原画像情報が記憶されている原画用メモリ７７からその原画像情報が読み出され（矢印Ｃ）、その原画像情報の圧縮が行われ、その圧縮された原画像情報（圧縮画像情報）が圧縮データ用メモリ７９に記憶される（矢印Ｄ）。その後、ＣＰＵ７６は、コントローラ８０に対し、圧縮画像情報の転送命令を与える（矢印Ａ）。これにより、圧縮データ用メモリ７９に記憶されている圧縮画像情報が記録媒体８１に転送される（矢印Ｅ）。
【０１３０】
又は、ユーザからの指示に応じて、取得した原画像情報をそのまま記録する場合には、ＣＰＵ７６はコントローラ８０に対し原画像情報の転送命令を与える（矢印Ｂ）。これにより、取得された原画像情報が記憶されている原画用メモリ７７からその原画像情報が読み出され記録媒体８１へ転送される（矢印Ｆ）。この際、転送される原画像情報は、ＲＧＢＲＧＢＲＧＢ・・・といった具合に１ドットづつＲＧＢの並びにより転送される。これによれば、原画像情報に係る画像の左上から右下へ向かう方向へ１ドットづつＲＧＢの並びにより順次原画像情報が転送されるようになる。
【０１３１】
以上、本実施形態によれば、取得した原画像情報を非圧縮のまま記録するか、又はそれを圧縮して記録するか、を選択することができ、例えば、ＤＩＣＯＭ規格に準拠した画像情報である非圧縮画像情報の出力が可能になる。
尚、本実施形態では、前述のとおり、原画像情報が記録媒体８１に転送される際（図１２の矢印Ｆ）には、１ドットづつＲＧＢの並びで原画像情報が転送されるものであったが、Ｒ，Ｇ，Ｂのプレーン毎（面毎）に原画像情報を転送するようにすることも可能である。このＲ，Ｇ，Ｂのプレーン毎の転送方式（出力方式）は、医用画像と通信の規格であるＤＩＣＯＭに準拠した転送方式の一つでもある。
【０１３２】
図１３は、原画像情報をＲ，Ｇ，Ｂのプレーン毎に転送する画像記録装置の構成例を示した図である。尚、同図の画像記録装置においては、コントローラの構成のみが、図１２の画像記録装置と異なり、その他の構成は同じである。
図１３において、コントローラ８０ａは、原画用メモリ７７に記憶されている原画像情報を非圧縮のまま転送する経路として、原画像情報をＲ，Ｇ，Ｂのプレーン毎に転送するプレーン転送経路と、原画像情報をドット毎に転送するドット転送経路の２つの経路を有している。プレーン転送経路には、転送するＲ，Ｇ，Ｂのプレーンに応じて切り換えられるセレクタ８６と、入力された８ｂｉｔデータを３２ｂｉｔデータに変換する８／３２ｂｉｔ変換ブロック８７が設けられている。尚、本例では、Ｒ，Ｇ，Ｂの各々は８ｂｉｔにより表されているものとする。ドット転送経路には、入力されたデータを基に転送用の３２ｂｉｔデータを生成する転送用３２ｂｉｔデータ生成ブロック８８が設けられている。また、８／３２ｂｉｔ変換ブロック８７とドット転送用３２ｂｉｔデータ生成ブロック８８の後段には、原画像情報をプレーン毎に転送するか又はドット毎に転送するかの指示に応じて切り換えられるセレクタ８９が設けられている。
【０１３３】
尚、本例に係る画像記録装置では、３２ｂｉｔバスを介してデータの送受が行われるものとしたことから、３２ｂｉｔデータへの変換や３２ｂｉｔデータの生成が行われる。
このような構成の画像記録装置は、ユーザからの指示に応じて、取得した原画像情報を記録媒体８１に転送する際に、原画像情報を、Ｒ，Ｇ，Ｂのプレーン毎に転送するか、或いはドット毎に転送するか、の何れかを行うようになっている。
【０１３４】
ユーザからの指示に応じて、原画像情報をＲ，Ｇ，Ｂのプレーン毎に転送する場合には、セレクタ８９が、８／３２ｂｉｔ変換ブロック８７の出力を転送するように切り換えられた上で、転送するＲ，Ｇ，Ｂのプレーン毎にセレクタ８６が切り換えられ、原画像情報が、Ｒ，Ｇ，Ｂのプレーン毎に、８／３２ｂｉｔ変換ブロック８７及びセレクタ８９を介して、出力されるようになる。
【０１３５】
また、ユーザからの指示に応じて、原画像情報をドット毎に転送する際には、セレクタ８９が、ドット転送用３２ｂｉｔデータ生成ブロック８８の出力を転送するように切り換えられた上で、原画像情報が、ドット毎に、ドット転送用３２ｂｉｔデータ生成ブロック８８及びセレクタ８９を介して、出力されるようになる。
【０１３６】
このような構成によれば、取得した原画像情報を非圧縮のまま転送する際に、原画像情報をＲ，Ｇ，Ｂのプレーン毎に転送するか、又はドット毎に転送するか、を選択することができ、例えば、ＤＩＣＯＭ規格に準拠した画像情報の転送方式の一つであるプレーン毎の転送に対応することが可能になる。
【０１３７】
以上、本発明の画像記録装置について詳細に説明したが、本発明は上記実施形態に限定されず、本発明の要旨を逸脱しない範囲において、各種の改良及び変更を行っても良いのはもちろんである。
（付記１）  医療用情報を記録する画像記録装置であって、
少なくとも設定情報、状態情報、検査画像情報、及び患者情報の中の何れか１つ又は複数の情報を提供する複数の装置との間で情報の送受を行う通信手段を有し、
前記通信手段により得られた前記検査画像情報及び前記患者情報に加えて、前記設定情報と前記状態情報のうちの少なくとも何れか１つの情報或いは該情報が加工された情報をネットワークを介して送信する、
ことを特徴とする画像記録装置。
【０１３８】
（付記２）  前記通信手段により得られた情報或いは該情報が加工された情報は、前記ネットワークを介してサーバー装置へ送信され、前記サーバー装置により一括管理される、
ことを特徴とする付記１記載の画像記録装置。
【０１３９】
（付記３）  前記通信手段により得られた検査画像情報を、異なる複数の画像記録フォーマットの中の何れか１つ又は複数の画像記録フォーマットにより記録する、
ことを特徴とする付記１記載の画像記録装置。
【０１４０】
（付記４）  前記１つ又は複数の画像記録フォーマットにより記録された検査画像情報を、ネットワークを介してサーバー装置に送信する、
ことを特徴とする付記３記載の画像記録装置。
（付記５）  前記記録の際には、前記異なる複数の画像記録フォーマットの中から選択設定された１つ又は複数の画像記録フォーマットにより記録する、
ことを特徴とする付記３記載の画像記録装置。
【０１４１】
（付記６）  前記異なる複数の画像記録フォーマットは、少なくとも、独自の画像記録フォーマット、ＤＩＣＯＭに準拠した画像記録フォーマット、及びＪＰＥＧフォーマットの何れか１つ又は複数を含む、
ことを特徴とする付記３記載の画像記録装置。
【０１４２】
（付記７）  前記通信手段により得られた前記検査画像情報及び前記患者情報を、異なる複数の通信プロトコルの中の何れか１つ又は複数の通信プロトコルに従った１つ又は複数の検査画像情報及び患者情報にして出力する、
ことを特徴とする付記１記載の画像記録装置。
【０１４３】
（付記８）  前記１つ又は複数の通信プロトコルに従ったものとされて出力された１つ又は複数の検査画像情報及び患者情報は、各々対応する通信プロトコルにより運用されているネットワークへ出力される、
ことを特徴とする付記７記載の画像記録装置。
【０１４４】
（付記９）  前記出力の際には、前記異なる複数の通信プロトコルの中から選択設定された１つ又は複数の通信プロトコルに従った１つ又は複数の検査画像情報及び患者情報にして出力する、
ことを特徴とする付記７記載の画像記録装置。
【０１４５】
（付記１０）  前記異なる複数の通信プロトコルは、少なくとも、独自の通信プロトコル及びＤＩＣＯＭに準拠した通信プロトコルの何れか１つ又は複数を含む、
ことを特徴とする付記７記載の画像記録装置。
【０１４６】
（付記１１）  当該装置の起動時に、記憶されている、前記通信手段により得られた、前記複数の装置から提供された来歴情報を、ネットワークを介してサーバー装置に送信する、
ことを特徴とする付記１記載の画像記録装置。
【０１４７】
（付記１２）  閲覧画像選択を目的とした縮小画像に係る画像情報として、異なる複数のサイズの中から選択設定されたサイズの縮小画像に係る画像情報を作成する、
ことを特徴とする付記１記載の画像記録装置。
【０１４８】
（付記１３）  閲覧画像選択を目的とした縮小画像に係る画像情報として、当該装置に接続されている装置から取得された装置情報に応じたサイズの縮小画像に係る画像情報を作成する、
ことを特徴とする付記１記載の画像記録装置。
【０１４９】
（付記１４）  内視鏡装置を介して入力された患者情報又はデータベースから検索された患者情報の何れを優先するかを設定する設定手段、
を更に有することを特徴とする付記１記載の画像記録装置。
（付記１５）  仮の患者ＩＤを付与して画像情報を記録する際に、前記仮の患者ＩＤとして、当該装置固有の情報を用いる、
ことを特徴とする付記１記載の画像記録装置。
【０１５０】
（付記１６）  前記装置固有の情報は、当該装置のシリアルナンバー又はＭＡＣアドレスである、
ことを特徴とする付記１５記載の画像記録装置。
（付記１７）  前記装置固有の情報は、当該装置のシリアルナンバー又はＭＡＣアドレスに、レリーズ番号と記録開始日時の何れか又は両方を付加したものである、
ことを特徴とする付記１５記載の画像記録装置。
【０１５１】
（付記１８）  選択設定された装置から出力される検査開始コマンド及び検査終了コマンドに基づいて検査開始時刻及び検査終了時刻を取得する、
ことを特徴とする付記１記載の画像記録装置。
（付記１９）  原画像情報を転送する際に、選択設定に応じて、ＲＧＢの並びからなる１ドット毎に転送するか、或いはＲ、Ｇ、Ｂのプレーン毎に転送する、
ことを特徴とする付記１記載の画像記録装置。
【０１５２】
【発明の効果】
以上、詳細に説明したように、本発明によれば、多種の医療用装置を複合的に組み合わせて使用する場合において、複数の装置から提供される情報を１つの画像記録装置を用いて取得することができるので、装置毎に対応する専用の装置を設ける必要がなくなり、全体としてのシステムを省コスト化及び省スペース化に有利なシステムにすることができ、また多種の装置から提供される情報を１つの画像記録装置により一括して取り扱うことができるので情報の管理が容易になる等といった、従来に比べ有利な効果を得ることができる。
【図面の簡単な説明】
【図１】第１の実施の形態に係る画像記録装置を含むシステムの一例を示した図である。
【図２】（ａ）  は従来の画像記録装置を含むシステムの一例を示した図、（ｂ）  は第２の実施の形態に係る画像記録装置を含むシステムの一例を示した図である。
【図３】（ａ）  は従来の画像記録装置を含むシステムの一例を示した図、（ｂ）  は第３の本実施形態に係る画像記録装置を含むシステムの一例を示した図である。
【図４】（ａ）  は従来の、独自の通信プロトコルに従って運用されているネットワークシステムとＤＩＣＯＭプロトコルに従って運用されているネットワークシステムとを含む、システムの一例を示した図、（ｂ）  は第４の実施の形態に係る、独自の通信プロトコルに従って運用されているネットワークシステムとＤＩＣＯＭプロトコルに従って運用されているネットワークシステムを含む、システムの一例を示した図である。
【図５】（ａ）  は従来の保守管理作業の一例を説明する図、（ｂ）  は第５の実施の形態に係る画像記録装置を含むシステムの一例を示した図である。
【図６】第６の実施の形態に係る画像記録装置を含むシステムの一例を示した図である。
【図７】（ａ），（ｂ），（ｃ）  は従来の来歴データの記録を説明する図、（ｄ）  は第７の実施の形態に係る画像記録装置を含むシステムの一例を示した図である。
【図８】（ａ）  は従来の画像記録装置を含むシステムの一例を示した図、（ｂ）  は第８の実施の形態に係る画像記録装置を含むシステムの一例を示した図である。
【図９】（ａ）  は第９の実施の形態に係る画像記録装置を含むシステムの一例を示した図、（ｂ）  は外部ストレージに記憶される情報の一例を示した図である。
【図１０】第１０の実施の形態に係る画像記録装置を含むシステムの一例を示した図である。
【図１１】第１１の実施の形態に係る画像記録装置を含むシステムの一例を示した図である。
【図１２】第１２の実施の形態に係る画像記録装置の構成例を示した図である。
【図１３】原画像情報をＲ，Ｇ，Ｂの面毎に転送する画像記録装置の構成例を示した図である。
【図１４】従来の医療用装置とその周辺装置の一例を示した図である。
【符号の説明】
１      電子内視鏡装置
１ａ    画像記録装置
１ｂ    表示装置
１ｃ    専用ネットワークシステム
１ｄ    専用画像再生装置
２      超音波内視鏡装置
２ａ    画像記録装置
２ｂ    表示装置
３      電子内視鏡装置用光源装置
３ａ    電子内視鏡装置用光源装置情報取得用装置
４      外部装置
５、５ａ、５ｂ、５ｃ、５ｄ、５ｅ  画像記録装置
５ｆ、５ｇ、５ｈ、５ｉ、５ｊ  画像記録装置
６      表示装置
７      サーバー装置
８      外部端末装置
９      通信手段
１１    ネットワークシステム
１２    端末装置
１６    ＤＩＣＯＭフォーマット変換用装置
１７    ネットワークシステム
２１    ネットワークシステム
２２    サーバー装置
２３    ＤＩＣＯＭプロトコル変換用装置
２４    ネットワークシステム
２５    端末装置
２６    サーバー装置
３１    保守管理装置
３６、３７  外部接続装置
４１    サーバー装置
４７ａ、４７ｂ  内視鏡装置
４６ａ、４６ｂ  画像記録装置
４８ａ、４８ｂ  画像再生装置
４９ａ、４９ｂ  サーバー装置
５１    内視鏡装置
５１ａ  キーボード
５１ｂ  モニター
５２    通信ライン
５３    ビデオライン
５４    ネットワーク
５５    予約端末装置
５６    外部ストレージ
５７    外部装置通信制御部
５８    画像処理部
５９    合成画像生成部
６０    操作パネル
６１    制御部
６１ａ  ＲＡＭ
６３    制御部
６３ａ  不揮発性メモリ
６６    通信ライン
６７    ビデオライン
６８    超音波内視鏡装置
７１    外部装置制御部
７１ａ  通信装置設定部
７２    制御部
７６    ＣＰＵ
７７    原画用メモリ
７８    画像圧縮用ブロック
７９    圧縮データ用メモリ
８０、８０ａ  コントローラ
８１    記録媒体
８６、８９  セレクタ
８７    ８／３２ｂｉｔ変換ブロック
８８    ドット転送用３２ｂｉｔデータ生成ブロック
【図１】
2004344390.tif 000003
【図２】
2004344390.tif 000004
【図３】
2004344390.tif 000005
【図４】
2004344390.tif 000006
【図５】
2004344390.tif 000007
【図６】
2004344390.tif 000008
【図７】
2004344390.tif 000009
【図８】
2004344390.tif 000010
【図９】
2004344390.tif 000011
【図１０】
2004344390.tif 000012
【図１１】
2004344390.tif 000013
【図１２】
2004344390.tif 000014
【図１３】
2004344390.tif 000015
【図１４】
2004344390.tif 000016